(57)【要約】【課題】  ディスク装置のトレイの出入り口に取付けられるドア取付け構造であって、ドアが開いた際に出入り口からコイルバネが見えないようにした取付け構造の提供。【解決手段】  ドア１の両側端から外方向へ延びる軸４，４を出入り口６の両側縁に設けた軸受け穴に嵌めて取付け、両側端部にはトレイの先端が当って押し倒して出入り口を開口することが出来る傾斜ガイド板３，３を形成し、そして側端部には上記軸４をカバーするポケット７を設け、該軸４にはコイルバネ１０を取付けてドア１が常に閉じる方向にバネ力を付勢している。【選択図】    図４
2008084403.tif 000002
【特許請求の範囲】
【請求項１】
ディスク装置のトレイの出入り口に取付けられるドア取付け構造において、ドアの両側端から外方向へ延びる軸を出入り口の両側縁に設けた軸受け穴に嵌めて取付け、両側端部にはトレイの先端が当って押し倒して出入り口を開口することが出来る傾斜ガイド板を形成し、そして側端部には上記軸をカバーするポケットを設け、該軸にはコイルバネを取付けてドアが常に閉じる方向にバネ力を付勢したことを特徴とするトレイ出入り口のドア取付け構造。
【請求項２】
上記コイルバネの長さをポケットの深さより大きくし、両軸穴に軸を嵌めて取付けた際に圧縮状態とした請求項１記載のトレイ出入り口のドア取付け構造。
【請求項３】
トレイの出入り口にドアを取付けているディスク装置において、ドアの両側端から外方向へ延びる軸を上記出入り口の両側縁に設けた軸受け穴に嵌めて取付け、ドアの両側端部にはトレイの先端が当って押し倒して出入り口を開口することが出来る傾斜ガイド板を形成し、そしてドア側端部には上記軸をカバーするポケットを設け、該軸にはコイルバネを取付けてドアが常に閉じる方向にバネ力を付勢したことを特徴とするディスク装置。
【発明の詳細な説明】
【技術分野】
【０００１】
本発明はディスク装置のトレイが出入りする開閉ドアの取付け構造に関するものである。
【背景技術】
【０００２】
ビデオデッキなどの磁気記録再生装置にはテープカセットの出入り口が設けられ、該出入り口には開閉するドアが取付けられている。そして、正面の出入り口に取付けられるドアはテープカセットを出入りする際に開くことが出来、しかし、常時は該ドアにバネ力が付勢されて閉じている。すなわち、出入り口から異物が侵入しないようになっている。
【０００３】
上記ドアは横長の長方形板であって、両側端に設けた軸を中心に回転して開閉することが出来る。そして、上記回転軸にはコイルバネなどの弾性体が取付けられていて、ドアが閉じるようにバネ力（弾性力）が付勢されている。これは、ビデオデッキに限らず、ディスク装置のトレイ出入り口にもドアが開閉可能に取付けられている。
【０００４】
図５はディスク装置の外観を表している。ディスク装置は同図に示すように、トレイ（イ）を備え、該トレイ（イ）にはディスク(図示なし)が載置されて正面に設けた出入り口（ロ）から出入りすることが出来る。そして、出入り口（ロ）にはドア（ハ）が取付けられ、上記トレイ（イ）が同図に示すように突出する場合にはドア（ハ）が倒れて出入り口（ロ）を開口する。
【０００５】
図６はフロントパネル（ヘ）の背面側から見た上記ドア（ハ）の取付け構造を表している。ドア（ハ）の両側端から軸（ニ）、（ニ）を水平に延ばし、フロントパネル（ヘ）の背面側に設けている軸受け（ホ）、（ホ）に軸支されている。ドア（ハ）の側端には側板（リ）、（リ）が設けられ、この側板（リ）、（リ）から軸（ニ）、（ニ）が延びている。そして、左側の軸（ニ）は長く成っている。従って、ドア（ハ）は軸（ニ）、（ニ）を中心として回転することが出来るが、該軸（ニ）に取付けられているコイルバネ（ト）のバネ力にて該ドア（ハ）は閉じている。すなわち、コイルバネ（ト）のバネ力はドア（ハ）を常時閉じるように作用している。
【０００６】
コイルバネ（ト）はその一方端がドア側端に形成した側板（リ）に形成した穴に嵌って止着され、他方端はフロントパネル（ヘ）の背面に当っている。そして、トレイ（イ）がスライドして出入り口（ロ）から突出する場合、ドア（ハ）の背面両側に形成している傾斜ガイド板（チ）、（チ）にトレイ先端が当ってドア（ハ）が押し倒される。この場合、コイルバネ（ト）は捩られ、トレイ（イ）が後退するならばバネ力にてドア（ハ）が起立して出入り口（ロ）が閉じられる。
【０００７】
ところで、図６に示しているようにドア（ハ）が起立して出入り口（ロ）が閉じられている場合には問題ないが、ドア（ハ）が倒れて出入り口（ロ）が開口する場合、上記コイルバネ（ロ）が該出入り口（ロ）から見えるようになる。図７はドア（ハ）が倒れて出入り口（ロ）が開口し、ドア側端に取付けているコイルバネ（ト）が表面化している場合を表している。同図は正面側から見える出入り口（ロ）の状態である。
【０００８】
一方、図６に示すごとく、片方の軸（ニ）は側板（リ）から大きく延びていて、出入り口（ロ）の側縁から離れた位置に軸受け（ホ）を設けている。そして、軸受け（ホ）と側板（リ）の間の軸（ニ）にコイルバネ（ト）が取付けられた構造であるが、これら軸受け（ホ）及び側板（リ）から大きく延びる軸（ニ）はフロントパネル（ヘ）に操作ボタンを取付ける際に邪魔に成る場合が起きる。
【０００９】
このようにディスク装置の出入り口ドア（ハ）にはコイルバネ（ロ）が取付けられていて、常に閉じる方向にバネ力が付勢されるが、該コイルバネ（ロ）が見えないように取付けた構造は存在していない。特開２００６−１７２５５６号に係る「電気機器筐体の開閉ドア取付け構造」は、開閉ドアの組立作業性を改善し、開閉ドアにバネの負荷が加わらない構造を採用することによって開閉ドアの反り変形を防ぐ構造となっている。
【００１０】
又、特開２００６−４５４９号に係る「ディスク装置」は、捩じりバネがセット位置から脱落しない構造としている。
【特許文献１】特開２００６−１７２５５６号に係る「電気機器筐体の開閉ドア取付け構造」
【特許文献２】特開２００６−４５４９号に係る「ディスク装置」
【発明の開示】
【発明が解決しようとする課題】
【００１１】
このように、ディスク装置のドア取付け構造には上記のごとき問題がある。本発明が解決しようとする課題はこの問題点であり、ドアを開いた場合に軸に取付けているコイルバネが見えないような取付け構造、及びこの取付け構造を備えたディスク装置を提供する。
【課題を解決するための手段】
【００１２】
本発明に係るドアの取付け構造は、軸に取付けて該ドアが常に閉じるようにバネ力を付勢するコイルバネが見えない構造としている。基本的な構造は従来と共通し、ドアの背面両側には軸を設けているが、該軸はドアの側端部に形成したポケットの底から水平に延びている。すなわち、軸の大部分はポケット内に収容され、先端の一部がドア側端から突出した状態にある。
【００１３】
上記ポケットはドアの片側端部に設けられ、軸に取付けられるコイルバネも該ポケット内に収容される。そしてフロントパネル背面側に設けられる軸受けは出入り口の側縁に位置し、上記ポケット側端に近接又は接している。ところで、コイルバネの一方端はドア側に止着され、他方端はフロントパネル側に止着されていて、該コイルバネのバネ力はドアを常時閉じる方向に付勢している。又、コイルバネは多少圧縮状態で取付けられて、軸が軸受け穴から外れないようにバネ力を付勢している。
【発明の効果】
【００１４】
本発明に係るディスク装置のドアはその側端部にポケットを有し、このポケット底から軸を水平に延ばし、軸に取付けたコイルバネは上記ポケットに収容される。従って、フロントパネルの出入り口側縁に設けた軸受け穴に軸を嵌めてドアを取付ける場合、上記ポケットの側端は軸受けに近接してコイルバネは被覆される。従って、ドアを開いてもコイルバネが出入り口から見えることはなく、ディスク装置の外観を向上する効果がある。一方、軸受けを出入り口の側縁に設けることで、出入り口の側縁より側方には空いた空間が形成され、この空間を利用してフロントパネルに操作ボタンを取付けることが可能と成る。
【実施例】
【００１５】
図１は本発明に係るドアの取付け構造を示している。同図の１はドア、２は軸受けを示し、ドア１は両軸受け２，２に軸支されて開閉することが出来る。ドア１の背面両側には傾斜ガイド板３，３が形成され、トレイが突出する場合、該トレイ先端が傾斜ガイド板３，３に当ってドア１を押し倒して開くことが出来る。ここで、ドア１を軸受け２，２に軸支している軸４にはコイルバネが取付けられているが、本発明のドア１は該コイルバネが露出しない構造となっている。
【００１６】
図２はドア１が開いた状態を表している。図１はフロントパネルの背面側であるが、図２はフロントパネル５の正面側から見た状態であり、ドア１は内部から突出するトレイ(図示なし)に押されて倒され、出入り口６が開口する。ドア１の左側端にはコイルバネが取付けられているが、該コイルバネはドア側端部に形成したポケット７に収容されているために外から見ることは出来ない。このことは、ディスク装置の外観向上に繋がる。
【００１７】
図３は図２の出入り口６の左側拡大図であり、ポケット７から延びる軸４にコイルバネが取付けられ、その結果、軸及びコイルバネは該ポケットに被覆される。
【００１８】
図４の(ａ)はドア１の背面側右側端部を、(ｂ)は側面図、(ｃ)は(ａ)のＡ−Ａ断面図を表している。同図に示すように、ドア１の一方側端部には上記ポケット７が設けられ、このポケット７の底８から軸４を水平に延ばしている。
【００１９】
すなわち、従来のようにドア側端に設けた側板から軸を延ばしていない。しかし、軸４はポケット７及びドア側端９から外方向へ突出し、この軸先端が軸受け２の穴に嵌ることが出来る。そして、軸４にはコイルバネ１０が取付けられ、このコイルバネ１０も上記ポケット内に収容されている。ポケット７はドア１の背面側に突出して形成した空間であって、開口した側方ら軸４が突出している。
【００２０】
上記コイルバネ１０はその一方端１１がポケット底８に設けた穴に嵌って止着され、他方端１２はフロントパネル５の背面に当接する。該ポケット７は背面側から見た場合のドア１の右側端部に設けられ、左側端部には従来と同じように側板１３から軸４が水平に延びているだけである。従って、左側軸４にはコイルバネ１０を取付けていない。勿論、コイルバネ１０を取付ける軸受け構造の配置を逆にすることは自由である。
【００２１】
そして、軸受け２は出入り口６の両側縁にフロントパネル背面から起立し、ドア１の両軸４，４は軸受け２，２に貫通した穴に嵌っている。ドア１を軸受け２，２に取付ける場合には、右側軸４を軸受け穴に嵌めてから左側軸４を左側軸受け穴に嵌めることが出来る。この場合、ポケット７に収容したコイルバネ１０はその一部が側端９から突出する長さと成っている為に、軸受け穴に軸４が嵌ることでコイルバネ１０が該軸受け面に当接して多少圧縮される。
【００２２】
コイルバネ１０は伸びようとしてポケット７の底８を押圧し、図２のように正面から見た場合の右側軸４が右側軸受け２から外れないようにバネ力を付勢することになる。そして、ドア１がトレイに押されて倒れるならば出入り口６は開口し、トレイが後退する際にはコイルバネ１０のバネ力にて起立して出入り口６は閉鎖される。
【図面の簡単な説明】
【００２３】
【図１】本発明に係るドアの取付け構造。
【図２】ドアが倒れて出入り口が開口した場合。
【図３】ドアが倒れて出入り口が開口した場合の左側端部。
【図４】ドアの右側端部の拡大図。
【図５】ディスク装置の外観図で、トレイが突出してドアが倒れている状態。
【図６】従来のドア取付け構造。
【図７】従来のドアが倒れて出入り口が開口した場合の左側端部。
【符号の説明】
【００２４】
１  ドア
２  軸受け
３  傾斜ガイド板
４  軸
５  フロントパネル
６  出入り口
７  ポケット
８  底
９  側端
10  コイルバネ
11  一方端
12  他方端
13  側板
【図１】
2008084403.tif 000003
【図２】
2008084403.tif 000004
【図３】
2008084403.tif 000005
【図４】
2008084403.tif 000006
【図５】
2008084403.tif 000007
【図６】
2008084403.tif 000008
【図７】
2008084403.tif 000009